(57)【要約】【課題】観光スポットに関するキーワードに紐付けてＷｅｂページをブックマーク登録することで、ネットワークからの情報収集、情報整理を効率的に行うことが可能な情報閲覧システムを提供する。【解決手段】Ｗｅｂページの情報を閲覧する情報閲覧システムは、スポット辞書データベース１０と、抽出部２０と、ブックマーク登録部３０とからなる。スポット辞書データベース１０は、訪問可能なスポットに関するスポットキーワードを格納する。抽出部２０は、閲覧中のＷｅｂページ内で、スポット辞書データベースに格納されるスポットキーワードと一致するスポットキーワードを抽出する。ブックマーク登録部３０は、抽出部２０で抽出されるスポットキーワードを使用者が選択可能に表示し、選択されるスポットキーワードに紐付けてＷｅｂページをブックマーク登録する。【選択図】図１
2019219943.tif 000002
【特許請求の範囲】
【請求項１】
Ｗｅｂページの情報を閲覧する情報閲覧システムであって、該情報閲覧システムは、
訪問可能なスポットに関するスポットキーワードを格納するスポット辞書データベースと、
閲覧中のＷｅｂページ内で、前記スポット辞書データベースに格納されるスポットキーワードと一致するスポットキーワードを抽出する抽出部と、
閲覧中のＷｅｂページをブックマーク登録するためのブックマーク登録部であって、前記抽出部で抽出されるスポットキーワードを使用者が選択可能に表示し、選択されるスポットキーワードに紐付けてＷｅｂページをブックマーク登録するためのブックマーク登録部と、
を具備することを特徴とする情報閲覧システム。
【請求項２】
請求項１に記載の情報閲覧システムであって、さらに、
前記ブックマーク登録部により登録されるＷｅｂページに紐付けられるスポットキーワードに対応するスポットの住所を検索するための住所検索部と、
地図を表示可能な地図表示部と、
前記地図表示部により表示される地図上の、住所検索部により検索される住所に対応する位置にピンを配置するピン配置部と、
を具備することを特徴とする情報閲覧システム。
【請求項３】
請求項２に記載の情報閲覧システムであって、さらに、前記ピン配置部により配置される複数のピンに対してルートを作成するルート作成部を具備することを特徴とする情報閲覧システム。
【請求項４】
請求項３に記載の情報閲覧システムにおいて、前記ルート作成部は、スポットキーワードに紐付けられるブックマーク登録数に応じて優先ルートを作成することを特徴とする情報閲覧システム。
【請求項５】
請求項１乃至請求項４の何れかに記載の情報閲覧システムにおいて、前記ブックマーク登録部は、抽出部で複数のスポットキーワードが抽出されると、複数のスポットキーワードを所定時間で順次切り替えて選択可能に表示することを特徴とする情報閲覧システム。
【請求項６】
請求項１乃至請求項５の何れかに記載の情報閲覧システムにおいて、前記ブックマーク登録部は、抽出部で複数のスポットキーワードが抽出されると、それぞれのスポットキーワードをそれぞれ選択可能に複数表示することを特徴とする情報閲覧システム。
【請求項７】
請求項１乃至請求項６の何れかに記載の情報閲覧システムにおいて、前記ブックマーク登録部は、抽出部で複数のスポットキーワードが抽出されると、複数のスポットキーワードをブックマーク登録数に応じてソートしてそれぞれ選択可能に複数表示することを特徴とする情報閲覧システム。
【請求項８】
請求項１乃至請求項７の何れかに記載の情報閲覧システムにおいて、前記ブックマーク登録部は、抽出部で抽出されるスポットキーワードに対応するスポットの写真を表示することを特徴とする情報閲覧システム。
【請求項９】
請求項１乃至請求項８の何れかに記載の情報閲覧システムにおいて、前記抽出部は、閲覧中のＷｅｂページ内のタグ情報を参照してスポットキーワードを抽出することを特徴とする情報閲覧システム。
【請求項１０】
請求項９に記載の情報閲覧システムにおいて、前記抽出部は、新たに抽出されるスポットキーワードをスポット辞書データベースに登録することを特徴とする情報閲覧システム。
【発明の詳細な説明】
【技術分野】
【０００１】
本発明は情報閲覧システムに関し、特に、ブックマーク登録が可能なＷｅｂページの情報を閲覧する情報閲覧システムに関する。
【背景技術】
【０００２】
従来からパーソナルコンピュータやモバイル端末により、Ｇｏｏｇｌｅ等のサーチエンジンを用いてキーワード検索により種々のＷｅｂページを閲覧することが可能である。サーチエンジンは、膨大なＷｅｂページの中から検索キーワードに則して特定のＷｅｂページを抽出して検索結果一覧を出力する。
【０００３】
使用者は、検索結果の中から特定のＷｅｂページをお気に入りとしてブックマークすることも可能である。このとき、ブックマーク登録されたＷｅｂページを検索キーワードと共にお気に入り情報として記憶し、キーワード検索時にお気に入り情報を利用する技術も存在する（例えば特許文献１）。これにより、過去に閲覧した閲覧履歴を用いて利用者の嗜好や状況に応じた情報検索を行うことができる。
【先行技術文献】
【特許文献】
【０００４】
【特許文献１】特開２０１１−３９７４３号公報
【発明の概要】
【発明が解決しようとする課題】
【０００５】
しかしながら、特許文献１やこれまでの従来技術では、特定のＷｅｂページ内のキーワードに紐付けてＷｅｂページをブックマーク登録することが可能な技術は存在しなかった。具体的には、観光スポット等を検索し、観光スポットに紐付けてＷｅｂページをブックマーク登録しておき、観光する際に利用しようとしても、従来技術ではそれぞれ使用者自身でブックマークを管理したり、再度サーチエンジンを用いてＷｅｂページを検索し直したりする必要があった。
【０００６】
本発明は、斯かる実情に鑑み、観光スポットに関するキーワードに紐付けてＷｅｂページをブックマーク登録することで、ネットワークからの情報収集、情報整理を効率的に行うことが可能な情報閲覧システムを提供しようとするものである。
【課題を解決するための手段】
【０００７】
上述した本発明の目的を達成するために、本発明による情報閲覧システムは、訪問可能なスポットに関するスポットキーワードを格納するスポット辞書データベースと、閲覧中のＷｅｂページ内で、スポット辞書データベースに格納されるスポットキーワードと一致するスポットキーワードを抽出する抽出部と、閲覧中のＷｅｂページをブックマーク登録するためのブックマーク登録部であって、抽出部で抽出されるスポットキーワードを使用者が選択可能に表示し、選択されるスポットキーワードに紐付けてＷｅｂページをブックマーク登録するためのブックマーク登録部と、を具備するものである。
【０００８】
さらに、本発明の情報閲覧システムは、ブックマーク登録部により登録されるＷｅｂページに紐付けられるスポットキーワードに対応するスポットの住所を検索するための住所検索部と、地図を表示可能な地図表示部と、地図表示部により表示される地図上の、住所検索部により検索される住所に対応する位置にピンを配置するピン配置部と、を具備するものであっても良い。
【０００９】
さらに、本発明の情報閲覧システムは、ピン配置部により配置される複数のピンに対してルートを作成するルート作成部を具備するものであっても良い。
【００１０】
また、ルート作成部は、スポットキーワードに紐付けられるブックマーク登録数に応じて優先ルートを作成するものであっても良い。
【００１１】
また、ブックマーク登録部は、抽出部で複数のスポットキーワードが抽出されると、複数のスポットキーワードを所定時間で順次切り替えて選択可能に表示するものであれば良い。
【００１２】
また、ブックマーク登録部は、抽出部で複数のスポットキーワードが抽出されると、それぞれのスポットキーワードをそれぞれ選択可能に複数表示するものであっても良い。
【００１３】
また、ブックマーク登録部は、抽出部で複数のスポットキーワードが抽出されると、複数のスポットキーワードをブックマーク登録数に応じてソートしてそれぞれ選択可能に複数表示するものであっても良い。
【００１４】
また、ブックマーク登録部は、抽出部で抽出されるスポットキーワードに対応するスポットの写真を表示するものであっても良い。
【００１５】
また、抽出部は、閲覧中のＷｅｂページ内のタグ情報を参照してスポットキーワードを抽出するものであっても良い。
【００１６】
また、抽出部は、新たに抽出されるスポットキーワードをスポット辞書データベースに登録するものであっても良い。
【発明の効果】
【００１７】
本発明の情報閲覧システムには、ネットワークからの情報収集、情報整理を効率的に行うことが可能であるという利点がある。
【図面の簡単な説明】
【００１８】
【図１】図１は、本発明の情報閲覧システムの全体構成を説明するための概略構成図である。
【図２】図２は、本発明の情報閲覧システムのブックマーク登録部の画面上での表示例である。
【図３】図３は、本発明の情報閲覧システムのブックマーク登録部の画面上での他の表示例である。
【図４】図４は、本発明の情報閲覧システムのブックマーク登録部に登録される情報の一例である。
【図５】図５は、本発明の情報閲覧システムのブックマーク登録部に登録されたスポットキーワードの一覧表示画面の一例である。
【図６】図６は、本発明の情報閲覧システムの地図表示部の画面上での表示例である。
【発明を実施するための形態】
【００１９】
以下、本発明を実施するための形態を図示例と共に説明する。図１は、本発明の情報閲覧システムの全体構成を説明するための概略構成図である。本発明の情報閲覧システムは、図の点線で囲まれた部分に示されており、例えばスマートフォンやタブレット等の携帯情報端末やパーソナルコンピュータ等、ネットワークに接続可能な情報端末１上で実行されるものである。例えば、情報端末１上で実行可能なプログラムや、このようなプログラムの機能が組み込まれたＷｅｂブラウザにより実現されれば良い。
【００２０】
図示の通り、Ｗｅｂページの情報を閲覧するための本発明の情報閲覧システムは、主にスポット辞書データベース１０と、抽出部２０と、ブックマーク登録部３０とから基本的には構成されている。
【００２１】
スポット辞書データベース１０は、観光スポット等の訪問可能なスポットに関するスポットキーワードを格納するものである。ここで、訪問可能なスポットとは、観光地や名所、公園、飲食店、ショップ、テーマパーク等、特定の場所に位置する地点を意味する。そして、スポットキーワードとは、その特定の場所に位置する地点を示すキーワードを意味する。具体的には、「東京駅」、「皇居」、「上野動物園」、「特許庁」といったものである。スポット辞書データベース１０に格納されるスポットキーワードは、予め一般的な訪問可能なスポットを多数登録しておけば良い。また、使用者による特定のスポット登録が可能なように、スポットキーワード入力部１１を設けても良い。スポットキーワード入力部１１は、使用者により手入力するものであっても良いし、閲覧中のＷｅｂページ内の所定のキーワードを選択してスポットキーワードとして登録できるようにしても良い。
【００２２】
抽出部２０は、閲覧中のＷｅｂページ内で、スポット辞書データベース１０に格納されるスポットキーワードと一致するスポットキーワードを抽出するものである。抽出部２０は、スポットキーワードと一致するキーワードがＷｅｂページ内に存在するか否かを、スポット辞書データベース１０を参照しながらＷｅｂページ内を検索する。これは、例えばＷｅｂブラウザ上で表示される文字列に対して、キーワード検索によりスポットキーワードを抽出すれば良い。なお、閲覧中のＷｅｂページに対して、抽出されたスポットキーワードを所謂ハイライト表示させることも可能である。
【００２３】
また、抽出部２０は、Ｗｅｂブラウザ上で表示される文字列から検索するだけでなく、Ｗｅｂページのソースからタグ情報を参照してスポットキーワードを抽出しても良い。例えば、所謂見出しタグであるＨ１タグ等が指定される文字列からスポットキーワードを抽出しても良い。
【００２４】
ここで、抽出部２０は、新たに抽出されるスポットキーワードをスポット辞書データベースに登録するようにしても良い。具体的には、例えばＨ１タグが指定された特定の文字列がスポット辞書データベース１０には格納されていないが、スポットキーワードとして使える場合には、スポットキーワード入力部１１を介してスポット辞書データベース１０に格納できるように構成されれば良い。
【００２５】
また、抽出部２０は、Ｗｅｂページ内からスポットキーワードと一致するキーワードを検索する際に、テキストデータだけでなく、画像データに表示される文字列を抽出してテキストデータ化した上で、キーワード検索しても良い。画像データから文字列を抽出するには、例えばＯＣＲ（光学文字認識）処理を行えば良い。ＯＣＲ処理は、外部のＡＰＩ（Ａｐｐｌｉｃａｔｉｏｎ  Ｐｒｏｇｒａｍｍｉｎｇ  Ｉｎｔｅｒｆａｃｅ）を用いることも可能である。
【００２６】
抽出部２０は、閲覧中のＷｅｂページ内から、スポット辞書データベース１０に格納されるスポットキーワードと一致するスポットキーワードをすべて抽出する。したがって、具体的には、閲覧中のＷｅｂページが例えば「東京の観光名所」に関するページであれば、多数のスポットキーワードが抽出されることになる。また、例えば閲覧中のＷｅｂページが「新宿駅」に関するＷｅｂページであれば、抽出されるスポットキーワードは「新宿駅」のみになる場合もあるし、「新宿駅」に程近い「新宿御苑」も抽出される場合もある。
【００２７】
ブックマーク登録部３０は、閲覧中のＷｅｂページをブックマーク登録するものである。ブックマーク登録部３０は、スポットキーワードに紐付けてＷｅｂページをブックマーク登録する。スポットキーワードは、抽出部２０で抽出されるスポットキーワードを使用者が選択する。即ち、ブックマーク登録は、使用者の操作により、閲覧中のＷｅｂページをスポットキーワードと共に登録可能に構成されるものである。例えば、ブックマーク登録部３０は、使用者がスポットキーワードを選択できるように表示すれば良い。そして、使用者がスポットキーワードを例えばタップすることで、閲覧中のＷｅｂページがスポットキーワードに紐付けられてブックマーク登録される。
【００２８】
図２を用いてブックマーク登録部３０の画面上での表示例について説明する。図２は、本発明の情報閲覧システムのブックマーク登録部の画面上での表示例である。図中、図１と同一の符号を付した部分は同一物を表している。ブックマーク登録部３０は、図示の通り、ブックマークボタン３１近傍のスポットキーワード枠３２に、抽出部２０で抽出されたスポットキーワードを表示する。使用者は、スポットキーワード枠３２に表示されたスポットキーワードを確認し、このスポットキーワードに紐付けて閲覧中のＷｅｂページをブックマーク登録したい場合には、ブックマークボタン３１をタップする。この動作に応じて、ブックマーク登録部３０は、スポットキーワードに紐付けてＷｅｂページをブックマーク登録する。なお、図示例ではブックマークボタン３１とスポットキーワード枠３２を別々に表示する例を示したが、本発明はこれに限定されず、ブックマークボタン３１自体にスポットキーワードを表示しても良い。
【００２９】
ここで、閲覧中のＷｅｂページ内で複数のスポットキーワードが抽出された場合には、複数のスポットキーワードを所定時間で順次切り替えて選択可能に表示すれば良い。即ち、複数のスポットキーワードを１つずつ所定時間で切り替えながらスポットキーワード枠３２に表示すれば良い。より具体的には、スポットキーワード枠３２に最初に「キーワード１」を表示し、例えば５秒後に「キーワード２」を表示するように制御すれば良い。
【００３０】
また、スポットキーワード枠３２は１つに限らず、複数設けても良い。図３は、本発明の情報閲覧システムのブックマーク登録部の画面上での他の表示例である。図中、図２と同一の符号を付した部分は同一物を表している。ブックマーク登録部３０は、図示の通り、抽出部２０で複数のスポットキーワードが抽出されると、それぞれのスポットキーワードをそれぞれ選択可能に複数表示するように構成されても良い。例えば、スポットキーワード枠３２を３つ設け、３つのスポットキーワードをそれぞれ選択可能に表示すれば良い。このとき、例えば４つ以上のスポットキーワードが抽出部２０で抽出された場合には、複数のスポットキーワードを所定時間で順次切り替えながらスポットキーワード枠３２に表示すれば良い。より具体的には、３つのスポットキーワード枠３２にそれぞれ「キーワード１」、「キーワード２」、「キーワード３」をまず表示する。そして、例えば５秒後に順次「キーワード２」、「キーワード３」、「キーワード４」を表示するように制御すれば良い。使用者は、この中から行きたいスポットに対応するスポットキーワードが表示されたスポットキーワード枠３２を１つ又は複数選択し、ブックマークボタン３１をタップすれば良い。
【００３１】
ここで、ブックマーク登録部３０は、抽出部２０で複数のスポットキーワードが抽出される場合には、複数のスポットキーワードをブックマーク登録数に応じてソートしてそれぞれ選択可能に複数表示するようにしても良い。即ち、１つのスポットキーワードに対して登録されたブックマーク数が多い程上位に表示するように制御する。これにより、複数のスポットキーワードを複数表示する際には、使用者がより興味のあるスポットであると考えられるスポットキーワードを優先的に上位に表示することが可能となる。
【００３２】
ブックマーク登録部３０には、例えば図４に示されるような情報が登録されれば良い。図４は、本発明の情報閲覧システムのブックマーク登録部に登録される情報の一例である。図示の通り、ブックマーク登録部３０には、ＷｅｂページのＵＲＬがスポットキーワードに紐付けられて登録されている。また、必要により、図示のようにスポットキーワードに対応するスポットの住所もスポットキーワードに紐付けて登録されても良い。この住所は、後述の住所検索部により検索された住所であれば良い。
【００３３】
また、ブックマーク登録部３０は、抽出部２０で抽出されるスポットキーワードに対応するスポットの写真を表示するようにしても良い。図５は、本発明の情報閲覧システムのブックマーク登録部に登録されたスポットキーワードの一覧表示画面の一例である。図示の通り、ブックマーク登録部３０に登録されたスポットキーワードの一覧に対して、例えばスポットキーワードの横にスポットキーワードに対応するスポットが写っている写真を表示する。スポット写真については、例えば外部のＡＰＩ（Ａｐｐｌｉｃａｔｉｏｎ  Ｐｒｏｇｒａｍｍｉｎｇ  Ｉｎｔｅｒｆａｃｅ）を活用して取得すれば良い。具体的には、ＡＰＩとしては、Ｇｏｏｇｌｅ  ＬＬＣによるＰｌａｃｅｓ  ＡＰＩを用いれば良い。Ｐｌａｃｅｓ  ＡＰＩにスポットキーワードを用いて写真をリクエストすることで、スポットキーワードに対応するスポットの代表的な写真が取得できる。
【００３４】
使用者は、スポットキーワードの一覧表示画面から、行きたいスポットのスポットキーワードをタップすることで、スポットキーワードに紐付けて登録されたブックマークの一覧を表示することが可能となる。そして、ブックマーク一覧の中から見たいＷｅｂページをタップすることで、Ｗｅｂページを閲覧することが可能となる。
【００３５】
ここで、再度図１を参照すると、本発明の情報閲覧システムには、住所検索部４０、地図表示部５０、ピン配置部６０、ルート作成部７０が設けられても良い。住所検索部４０は、ブックマーク登録部３０により登録されるＷｅｂページに紐付けられるスポットキーワードに対応するスポットの住所を検索するものである。住所検索部４０は、例えば外部ＡＰＩ  ２を活用すれば良い。具体的には、上述のＰｌａｃｅｓ  ＡＰＩを用いてスポットキーワードに対応するスポットの住所をリクエストすることで、住所が取得できる。
【００３６】
地図表示部５０は、地図を表示可能なものである。図６は、本発明の情報閲覧システムの地図表示部の画面上での表示例である。地図表示部５０は、例えばスポットキーワードに対応するスポットの位置を地図上で表示するものである。これも外部ＡＰＩ  ２を活用して取得することが可能である。具体的には、Ｇｏｏｇｌｅ  ＬＬＣによるＧｏｏｇｌｅ  Ｍａｐｓ  ＡＰＩを用いれば良い。スポットキーワードに対応するスポットのスポット名や住所からその周辺の地図を表示すれば良い。
【００３７】
ピン配置部６０は、地図表示部５０により表示される地図上の、住所検索部４０により検索される住所に対応する位置にピンを配置するものである。また、ピンは、複数のスポットに対してピンを配置することも可能である。即ち、表示された地図の範囲に含まれるスポットキーワードに対応するスポットすべてに対してピンを配置しても良い。また、ピンを配置するか否かを使用者がそれぞれ選択できるようにしても良い。
【００３８】
このように構成することで、使用者は、地図上でスポットの位置の確認をすることが可能となる。
【００３９】
さらに、本発明の情報閲覧システムは、ルート作成部７０を設けても良い。ルート作成部７０は、ピン配置部６０により配置される複数のピンに対してルートを作成するものである。ここで、ルートとは、例えば複数のスポットに対して順番に巡っていく所謂観光地巡りのルートとなるものである。ルートを作成する際にも、外部ＡＰＩ  ２を活用すれば良い。具体的には、上述のＧｏｏｇｌｅ  Ｍａｐｓ  ＡＰＩを用いれば良い。
【００４０】
ここで、ルート作成部７０は、複数のピンに対して効率の良い巡回ルートを作成すれば良い。また、ルート作成部７０は、スポットキーワードに紐付けられるブックマーク登録数に応じて優先ルートを作成するようにしても良い。即ち、１つのスポットキーワードに対して登録されたブックマーク数が多い順番に巡回するようなルートとしても良い。これにより、使用者がより興味のあると考えられるスポットを優先的に先に巡るような優先ルートを提供することも可能である。
【００４１】
なお、本発明の情報閲覧システムにより登録されたスポットキーワードに紐付いたＷｅｂページのブックマークやルート等は、使用者以外の者に対してシェアできるように構成しても良い。
【００４２】
本発明の情報閲覧システムによれば、使用者が住所や名前を入力しなくても、閲覧中のＷｅｂページ内でスポットを容易に発見することができ、行きたいスポットに紐付けてＷｅｂページをブックマーク登録することが可能となる。また、行きたいスポットを複数選択することで、巡回ルートを簡単に作成することも可能となる。また、スポットキーワード別にＷｅｂページをブックマーク登録しているため、スポットを調べる際に容易に閲覧したＷｅｂページを見つけることも可能となる。
【００４３】
なお、本発明の情報閲覧システムは、上述の図示例にのみ限定されるものではなく、本発明の要旨を逸脱しない範囲内において種々変更を加え得ることは勿論である。また、図中の表示例についても、これらに限定されるものではなく、上述の各構成要素の機能を実現できるものであれば他の表示であっても勿論構わない。
【符号の説明】
【００４４】
１    情報端末
２    外部ＡＰＩ
１０    スポット辞書データベース
１１    スポットキーワード入力部
２０    抽出部
３０    ブックマーク登録部
３１    ブックマークボタン
３２    スポットキーワード枠
４０    住所検索部
５０    地図表示部
６０    ピン配置部
７０    ルート作成部
【図１】
2019219943.tif 000003
【図２】
2019219943.tif 000004
【図３】
2019219943.tif 000005
【図４】
2019219943.tif 000006
【図５】
2019219943.tif 000007
【図６】
2019219943.tif 000008
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
Ｗｅｂページの情報を閲覧する情報閲覧システムであって、該情報閲覧システムは、
訪問可能なスポットに関するスポットキーワードを格納するスポット辞書データベースと、
閲覧中のＷｅｂページ内で、前記スポット辞書データベースに格納されるスポットキーワードと一致するスポットキーワードを抽出する抽出部と、
閲覧中のＷｅｂページをブックマーク登録するためのブックマーク登録部であって、前記抽出部で抽出されるスポットキーワードを使用者が選択可能に表示し、選択されるスポットキーワードに紐付けてＷｅｂページをブックマーク登録するためのブックマーク登録部と、
前記ブックマーク登録部により登録されるＷｅｂページに紐付けられるスポットキーワードに対応するスポットの住所を検索するための住所検索部と、
地図を表示可能な地図表示部と、
前記地図表示部により表示される地図上の、住所検索部により検索される住所に対応する位置にピンを配置するピン配置部と、
前記ピン配置部により配置される複数のピンに対して、スポットキーワードに紐付けられるブックマーク登録数に応じて優先ルートを作成するルート作成部と、
を具備することを特徴とする情報閲覧システム。
【請求項２】
請求項１に記載の情報閲覧システムにおいて、前記ブックマーク登録部は、抽出部で複数のスポットキーワードが抽出されると、複数のスポットキーワードをブックマーク登録数に応じてソートしてそれぞれ選択可能に複数表示することを特徴とする情報閲覧システム。
【請求項３】
Ｗｅｂページの情報を閲覧する情報閲覧システムであって、該情報閲覧システムは、
訪問可能なスポットに関するスポットキーワードを格納するスポット辞書データベースと、
閲覧中のＷｅｂページ内で、前記スポット辞書データベースに格納されるスポットキーワードと一致するスポットキーワードを抽出する抽出部と、
閲覧中のＷｅｂページをブックマーク登録するためのブックマーク登録部であって、前記抽出部で複数のスポットキーワードが抽出されると、複数のスポットキーワードをブックマーク登録数に応じてソートしてそれぞれ選択可能に複数表示し、選択されるスポットキーワードに紐付けてＷｅｂページをブックマーク登録するためのブックマーク登録部と、
を具備することを特徴とする情報閲覧システム。
【請求項４】
請求項１乃至請求項３の何れかに記載の情報閲覧システムにおいて、前記ブックマーク登録部は、抽出部で複数のスポットキーワードが抽出されると、複数のスポットキーワードを所定時間で順次切り替えて選択可能に表示することを特徴とする情報閲覧システム。
【請求項５】
請求項１乃至請求項４の何れかに記載の情報閲覧システムにおいて、前記ブックマーク登録部は、抽出部で複数のスポットキーワードが抽出されると、それぞれのスポットキーワードをそれぞれ選択可能に複数表示することを特徴とする情報閲覧システム。
【請求項６】
請求項１乃至請求項５の何れかに記載の情報閲覧システムにおいて、前記ブックマーク登録部は、抽出部で抽出されるスポットキーワードに対応するスポットの写真を表示することを特徴とする情報閲覧システム。
【請求項７】
請求項１乃至請求項６の何れかに記載の情報閲覧システムにおいて、前記抽出部は、閲覧中のＷｅｂページ内のタグ情報を参照してスポットキーワードを抽出することを特徴とする情報閲覧システム。
【請求項８】
請求項７に記載の情報閲覧システムにおいて、前記抽出部は、新たに抽出されるスポットキーワードをスポット辞書データベースに登録することを特徴とする情報閲覧システム。